(57)【特許請求の範囲】
【請求項１】
前半部に内蔵光ファイバが埋め込まれた微細穴を有し後半部に接続しようとする光ケーブル内の光ファイバを保持する光ファイバ把持部を有する光ファイバフェルールと、前記光ケーブルの外皮を把持する光ケーブル外皮把持部材とが光コネクタハウジング内に配置されたメカニカル接続型光コネクタであって、
光ケーブル外皮把持部材は前記光コネクタハウジングの設置スペース内で光ファイバの光軸方向に移動可能であり、
前記光ケーブル外皮把持部材が、その前方からその後方に、前記設置スペースの前部と前記光ケーブル外皮把持部材の前部との間に配置されたコイルバネによって押し付けられることを特徴とする光コネクタ。
【請求項２】
前記光コネクタハウジングには、前記光ファイバの接続作業時、前記光ケーブル外皮把持部材が前方に移動したときに、光ファイバのたるみの状態を確認するための開口が設けられていることを特徴とする請求項１に記載の光コネクタ。
【発明の詳細な説明】
【技術分野】
【０００１】
本発明は、メカニカル接続型光コネクタに関するものである。
【背景技術】
【０００２】
光ファイバの接続現場での作業性およびコストに優れた光コネクタとして、メカニカル接続型光コネクタが提案されている（例えば、特許文献１〜４）。
この種のメカニカル接続型光コネクタは、図９に示すように、前半部１１に内蔵光ファイバ１２が埋め込まれた微細穴１３を有し、後半部１４に接続しようとする光ケーブル２０の光ファイバ２１を載置する溝１５が備えられた光ファイバ保持台１６を有するフェルール基板１０と、光ファイバ保持台１６の上に前記光ファイバ２１を挟んで覆う蓋３０と、図１０・１１に示すように、光ファイバ保持台１６と蓋３０とを挟んで光ファイバ２１を溝内に固定させる断面C字型の締付具４０とからなる光ファイバフェルールを用いるものであり、この光ファイバ保持台１６と蓋３０と締付具４０とで、光ファイバ把持部４５を構成している。
【０００３】
このような光コネクタは、従来の予め工場などで組み立てられる光コネクタと異なり、接続現場で簡易に光コネクタを構成できるものである。即ち、光コネクタには、予め内蔵光ファイバ１２が配置されており、その端面１２'は予め鏡面研磨がなされている。更にその配置も光コネクタ相互の接続時に相互の光ファイバの軸心が一致するように予め工場などて組み立てられている。このため、接続現場においては、単に接続しようとする光ファイバ２１を内蔵光ファイバ１２と機械的に接続(メカニカルスプライス)するのみで簡易に接続損失の少ない光コネクタを提供することができる。
【０００４】
また、ＳＣ(Square-shaped Snap-on Plastic Connector)コネクタ等と同様のインターフェースを持つ光コネクタ内にあらかじめ光ファイバを内蔵させておき、その内蔵光ファイバと現場で成端した光ファイバとをメカニカルスプライスすることで、簡便にＳＣコネクタ等と同等のインターフェースを現場組み立てることが可能な光コネクタも開発されている。
【０００５】
メカニカル接続型光コネクタは、このように現場においての作業性に優れた光接続方式であるが、その欠点として光ファイバ２１の引っ張りに対して弱いということが挙げられる。これはメカニカルスプライスの機構上、接続される光ファイバ２１が接続方向へ押し付ける機能を持たないため、光ファイバ２１が固定力以上の接続後方への引っ張り力を受けて光ファイバ２１の端面２１'が接続位置から後退してしまった場合に、光ファイバ端面２１'が再度内蔵光ファイバ１２の端面１２''の位置まで戻ることができないためである。
このため一般的にメカニカルスプライス方式で固定された光ファイバ２１は、１ｋｇｆ程度の力で引っ張られると著しく接続損失が悪化することが多い。
【先行技術文献】
【特許文献】
【０００６】
【特許文献１】特開平１０−１２３３６６号公報
【特許文献２】特開平１０−１７０７５６号公報
【特許文献３】特開平１０−２０６６８８号公報
【特許文献４】特開平１１−１４２６８６号公報
【発明の概要】
【発明が解決しようとする課題】
【０００７】
従って、光ケーブル用の光コネクタではその取り扱い上、１ｋｇｆ〜数ｋｇｆ程度の引っ張りが加わることを想定する必要がある。しかしながらこの値は一般的なメカニカルスプライス接続の引っ張り許容強度を大きく上回る数値であるため、例えばフェルール基板１０の光ファイバ保持台１６と蓋３０とで光ファイバ２１を挟む締付具４０のバネの加圧力を増やしたり、光ファイバ保持台１６と蓋３０との長さを長くして光ファイバ２１を押さえる面積を増やすなどの方法が考えられるが、光コネクタの組立作業性やコネクタ寸法上のデメリットがあり、対応するのが困難である。
【０００８】
そこで、図６に示すように、光ケーブル２０の外皮２０'をフェルール基板１０と別の部材である光ケーブル外皮把持部材５０によって強固に固定し、この光ケーブル外皮把持部材５０をフェルール基板１０またはコネクタハウジング６０に設けられた光ケーブル外皮把持部材設置スペース６１内に収納する構造とし、かつ蓋３０と光ケーブル外皮把持部材５０との間に光ファイバ２１がわずかな余長（たるみ）を持つ構造とする。
【０００９】
この構成により、光ケーブルが引っ張られた場合でも光ケーブル外皮把持部材がコネクタ（ハウジング）の設置スペース内の後方で機械的に突き当たり固定され、かつ光ファイバには若干の余長が残されているため、メカニカルスプライス部分には光ファイバに対して引っ張り力が全く加わらず、光コネクタとしての引っ張り耐久強度はコネクタを構成する部材の機械的強度に依存することになり、飛躍的に上昇する。
【００１０】
しかしながらこの構成においては、光ケーブル外皮把持部材設置スペース６１の大きさによって以下のような課題が発生する。
即ち、図７(イ)に示すように空隙の大きさが広すぎた場合、光ケーブル外皮把持部材５０が光ケーブル外皮把持部材設置スペース６１内で前方に移動したときに、図７(ロ)に示すように、光ケーブル外皮把持部材５０と蓋３０との間の光ファイバ２１に与えられるたるみが増大するため、そこでの光ファイバ２１の曲げ損失が無視できなくなって光コネクタとしての接続損失を悪化させることが懸念される。
【００１１】
逆に図８(イ)・(ロ）に示すように、その空隙の大きさが小さい場合、光ケーブル外皮把持部材５０を光ケーブル外皮把持部材設置スペース６１に収納する際の取り扱い性（作業性）が悪化したり、メカニカルスプライスを行う際の視認性、すなわち、光ファイバ同士が確実に接触していることを確認することが困難になるという課題がある。
【課題を解決するための手段】
【００１２】
本発明は、かかる点に鑑みなされたもので、前半部に内蔵光ファイバが埋め込まれた微細穴を有し後半部に接続しようとする光ケーブル内の光ファイバを保持する光ファイバ把持部を有する光ファイバフェルールと、前記光ケーブルの外皮を把持する光ケーブル外皮把持部材とが光コネクタハウジング内に配置されたメカニカル接続型光コネクタであって、光ケーブル外皮把持部材は前記光コネクタハウジングの設置スペース内で光ファイバの光軸方向に移動可能であり、前記光ケーブル外皮把持部材が、その前方からその後方に、前記設置スペースの前部と前記光ケーブル外皮把持部材の前部との間に配置されたコイルバネによって押し付けられることを特徴とする。
【発明の効果】
【００１３】
本発明は、上記構成により、光ケーブル外皮把持部材と光ケーブル外皮把持部材設置スペースとのクリアランスを広く取ることができ、光ケーブル外皮把持部材を容易に所定位置に配置させることができる。更に光コネクタ（ハウジング）組立後は、光ケーブル外皮把持部材がコネクタの通常位置から光ファイバの光軸方向に移動したときでも通常位置に復帰するので、接続損失を増加させることがない優れた効果を発揮することができる。
【図面の簡単な説明】
【００１４】
【図１】本発明の一実施例を示す要部断面図。
【図２】図１に示す実施例の要部分解構成図。
【図３】図１に示す実施例の他の分解構成図。
【図４】本発明の他の実施例を示す要部断面図。
【図５】本発明の更に他の実施例を示す要部断面図。
【図６】本発明に関連する光コネクタの構成を説明する要部断面図。
【図７】本発明に関連する他の光コネクタの構成を説明する要部断面図。
【図８】本発明に関連する更に他の光コネクタの構成を説明する要部断面図。
【図９】一般的なフェルール基板の一例を示す断面図。
【図１０】一般的な光ファイバ把持部の一例を示す断面図。
【図１１】一般的な光ファイバ締付具の一例を示す斜視図。
【発明を実施するための形態】
【実施例１】
【００１５】
以下本発明を図示した実施例により更に詳しく説明する。図１〜３において、１０、１１、１２、１２'、１２''、１３、１４、１５、１６、２０、２０'、２１、２１'、３０、４０、４５、５０、６０、６１は、それぞれ、図５〜７と同様に、フェルール基板、フェルール１０の前半部、内蔵光ファイバ、内蔵光ファイバ１２の端面、内蔵光ファイバ１２の端面、微細穴、フェルール１０の後半部、溝、光ファイバ保持台、光ケーブル、光ケーブル２０の外皮、光ファイバ、光ファイバ２１の端面、蓋、締付具、光ファイバ把持部、光ケーブル外皮把持部材、コネクタハウジング、光ケーブル外皮把持部材設置スペースである。なお、７０は本発明で特徴となる後方押付部材で、光ケーブル外皮把持部材設置スペース６１内で光ケーブル外皮把持部材５０をコネクタの後方側に押し付けるためのものである。
【００１６】
光ケーブル外皮把持部材５０は、図３に示すように、外皮把持基材５１と、その上を覆う外皮把持蓋５２とで構成されている。外皮把持基材５１の上面には、その長手方向に添って図示しない光ケーブルを外皮毎に収納するＶ溝５３が形成され、更にそのＶ溝５３の途中には段差５４が形成され、この段差５４がＶ溝に配置される光ケーブルの外皮に食い込み、光ケーブルがＶ溝５３内でその長手方向に移動できないようになっている。また、外皮把持基材５１の側面には突起５５が形成され、外皮把持蓋５２の側面に形成された嵌合孔５６と嵌合して外皮把持蓋５２が外皮把持基材５１の上部で固定されるように構成されている。
【００１７】
本実施例のコネクタにおいては、光ケーブル外皮把持部材設置スペース６１には光ケーブル外皮把持部材５０がコネクタの前後方向（光ファイバの光軸方向）に十分な距離だけ移動可能なクリアランスを設けておき、かつコネクタハウジング６０内に、光ケーブル外皮把持部材５０を光ケーブル外皮把持部材設置スペース６１内の後端に押し付けるための後方押付部材７０が設けられている。この後方押付部材７０は本実施例においては、光ケーブル外皮把持部材設置スペース６１上にかぶせて固定するコネクタハウジング蓋６２に板バネ７１を形成することにより行っている。
【００１８】
この構成により、メカニカルスプライスの接続作業時には光ケーブル外皮把持部材５０が光ケーブル外皮把持部材設置スペース６１内で前方に移動可能であるため、光ファイバ２１を溝１５内に押し込み、コネクタに内蔵された内蔵光ファイバ１２の端面１２''と光ファイバ１２の端面１２'が突き当たり、光ケーブル外皮把持部材５０と蓋３０との間の光ファイバ２１にたるみが発生することを容易に目視確認できるため、確実にコネクタ内の内蔵光ファイバ１２と接続される光ファイバ２１とが確実に接触して配置されて接続されたことを確認することができる。
【００１９】
さらに、コネクタハウジング６０を組み立てた後では、光ケーブル外皮把持部材５０は板バネ７１による後方押付部材７０によって光ケーブル外皮把持部材設置スペース６１の後端に押し付けられて固定されている。このため、蓋３０と光ケーブル外皮把持部材５０との間の光ファイバ２１はたるみが一定量に保持され、コネクタへの衝撃・振動によっても変動することがない。
【００２０】
すなわち、前記たるみ量を曲げ損失が無視できる範囲となるように設計することにより、メカニカルスプライス時の接続作業時に光ファイバ２１のたるみによって確実に内蔵光ファイバ１２の端面１２''と光ファイバ２１の端面２１'とが接触したことを目視によって確認でき、かつコネクタハウジング組み立て後では曲げ損失が発生しない程度の微小なたるみ量を保持したまま光ケーブル外皮把持部材５０が光ケーブル外皮把持部材設置スペース６１内に収納されるため、曲げ損失の発生も起こらず、かつ光ケーブル２０の引っ張りに対しても十分な耐久性を実現することができる。
【実施例２】
【００２１】
図４は図１〜２に示した実施例に比較して板バネ７１が光ケーブル外皮把持部材５０の前部からその後方方向に押しつけるように配置されている点が異なっている。このような構成であっても、光ケーブル外皮把持部材５０を光ケーブル外皮把持部材設置スペース６１内でその後方に押し付けることができる。
【実施例３】
【００２２】
図５は更に異なる本発明の実施例を示すものであり、後方押付部材７０がコイルバネ７２によって構成され、このコイルバネ７２が光ケーブル外皮把持部材設置スペース６１の前部と光ケーブル外皮把持部材５０の前部との間に配置され、光ケーブル外皮把持部材５０をその前方からその後方の方向に押しつけるようになっている点が異なっている。このような構成であっても、光ケーブル外皮把持部材５０を光ケーブル外皮把持部材設置スペース６１内でその後方に押し付けることができる。
【符号の説明】
【００２３】
１０    フェルール基板
１１    前半部
１２    内蔵光ファイバ
１２’    端面
１２''    端面
１３    微細穴
１４    後半部
１５    溝
１６    光ファイバ保持台
２０    光ケーブル
２０’    外皮
２１    光ファイバ
２１'    端面
３０    蓋
４０    締付具
４５    光ファイバ把持部
５０    光ケーブル外皮把持部材
５１    外皮把持基材
５２    外皮把持蓋
５３    Ｖ溝
５４    段差
５５    突起
５６    嵌合孔
６０    コネクタハウジング
６１    光ケーブル外皮把持部材設置スペース
６２    コネクタハウジング蓋
７０    後方押付部材
７１    板バネ
７２    コイルバネ
【図１】
0004976444.tif 000002
【図２】
0004976444.tif 000003
【図３】
0004976444.tif 000004
【図４】
0004976444.tif 000005
【図５】
0004976444.tif 000006
【図６】
0004976444.tif 000007
【図７】
0004976444.tif 000008
【図８】
0004976444.tif 000009
【図９】
0004976444.tif 000010
【図１０】
0004976444.tif 000011
【図１１】
0004976444.tif 000012